(57)【要約】  本発明は、靴（１）、特に運動靴を製造するための方法に関する。靴製造のための効果的かつ費用効率の高い方法を提供するために、本発明は、ａ）アッパー（２）およびソール（３）を製造するステップと、ｂ）アッパー（２）およびソール（３）を接合し、かつ接合したアッパー（２）およびソール（３）を、気密になるように閉鎖可能である可撓性収容要素（４）に挿入するステップと、ｃ）収容要素（４）が、接合したアッパー（２）およびソール（３）を収容要素（４）内で押し付けるように、収容要素（４）を気密閉鎖しかつ収容要素（４）を真空排気するステップと、ｄ）収容要素（４）内のアッパー（２）およびソール（３）を互いに連結するステップと、ｅ）収容要素（４）を通気し、かつ連結したアッパー（２）およびソール（３）を取り出すステップと、を含む。【選択図】図３
2021510125.tif 000002
【特許請求の範囲】
【請求項１】
靴（１）、特に運動靴を製造するための方法であって、
ａ）アッパー（２）およびソール（３）を製造するステップと、
ｂ）前記アッパー（２）および前記ソール（３）を接合し、かつ接合した前記アッパー（２）および前記ソール（３）を、気密になるように閉鎖可能である可撓性収容要素（４）に挿入するステップと、
ｃ）前記収容要素（４）が、前記接合したアッパー（２）およびソール（３）を前記収容要素（４）内で押し付けるように、前記収容要素（４）を気密閉鎖しかつ前記収容要素（４）を真空排気するステップと、
ｄ）前記収容要素（４）内の前記アッパー（２）および前記ソール（３）を互いに連結するステップと、
ｅ）前記収容要素（４）を通気し、かつ前記収容要素（４）の連結した前記アッパー（２）および前記ソール（３）を取り出すステップと、を含む、方法。
【請求項２】
前記収容要素（４）は弾性材料のバッグであることを特徴とする、請求項１に記載の方法。
【請求項３】
前記収容要素（４）は好ましくはポリエチレン製のプラスチックバッグであることを特徴とする、請求項１または２に記載の方法。
【請求項４】
前記収容要素（４）は、前記収容要素（４）を開放しかつ閉鎖するための閉鎖要素（５）を備えることを特徴とする、請求項１から３のいずれか一項に記載の方法。
【請求項５】
前記閉鎖要素（５）は気密性ジッパーであることを特徴とする、請求項４に記載の方法。
【請求項６】
前記ソール（３）は数個の部分（６、７）から成り、前記部分（６、７）は、請求項１に記載のステップｂ）を行う前に互いに連結されることを特徴とする、請求項１から５のいずれか一項に記載の方法。
【請求項７】
前記部分（６、７）間に接着剤が施されることを特徴とする、請求項６に記載の方法。
【請求項８】
請求項１に記載のステップｃ）による真空排気は、前記収容要素（４）を真空排気ポンプと連結することによって行われることを特徴とする、請求項１から７のいずれか一項に記載の方法。
【請求項９】
前記収容要素（４）と前記真空排気ポンプとの連結は、前記収容要素（４）に設けられる弁要素または管受口（８）を介して行われることを特徴とする、請求項８に記載の方法。
【請求項１０】
請求項１に記載のステップｄ）による前記アッパー（２）と前記ソール（３）との連結は、前記アッパー（２）と前記ソール（３）との間の接触帯にマイクロ波放射（９）を加えることによって行われることを特徴とする、請求項１から９のいずれか一項に記載の方法。
【請求項１１】
前記マイクロ波放射を加えることは、１５〜６０秒、好ましくは、２０〜４０秒で行われることを特徴とする、請求項１０に記載の方法。
【請求項１２】
請求項１に記載のステップｄ）による前記アッパー（２）と前記ソール（３）との前記連結は、前記アッパー（２）と前記ソール（３）との間の前記接触帯において前記アッパー（２）および／または前記ソール（３）の材料を溶解させること、および溶解した前記材料を前記アッパー（２）および／または前記ソール（３）の隣接した材料と融合させることによって行われることを特徴とする、請求項１から１１のいずれか一項に記載の方法。
【請求項１３】
前記アッパー（２）および前記ソール（３）の接合前に、前記アッパー（２）と前記ソール（３）との間に接着剤が施されることを特徴とする、請求項１から１１のいずれか一項に記載の方法。
【請求項１４】
前記接着剤は、請求項１に記載のステップｄ）の間に少なくとも部分的に溶解されるホットメルト接着剤であることを特徴とする、請求項１３に記載の方法。
【請求項１５】
請求項１に記載のステップｄ）とステップｅ）との間に、連結した前記アッパー（２）および前記ソール（３）を、好ましくは、３０〜１２０秒冷却させることを特徴とする、請求項１から１４のいずれか一項に記載の方法。
【請求項１６】
少なくとも請求項１に記載のステップｂ）〜ｅ）の間に靴型（１０）が前記アッパー（２）内に配置されることを特徴とする、請求項１から１５のいずれか一項に記載の方法。
【発明の詳細な説明】
【技術分野】
【０００１】
本発明は、靴、特に運動靴を製造するための方法に関する。
【背景技術】
【０００２】
通常、靴具の製造には、かなりの投資費用を投じる必要があり、これによって、靴の製造が対応して高費用になる。１側部のアッパーおよび他側部のソールは、連結プロセスが行われる前に互いに密着させなければならない。これは、アッパーとソールとの間の適当な幾何学的調整の上で行われなければならず、これによって工具システムに対して対応する費用が生じる。
【発明の概要】
【発明が解決しようとする課題】
【０００３】
本発明の目的は、具体的には工具費の大幅な低減を可能にする、靴を製造するための方法を提供することである。これにもかかわらず、アッパーとソールとの間の良好な連結を目標とする。
【課題を解決するための手段】
【０００４】
本発明によるこの目的の解決策は、方法が、
ａ）アッパーおよびソールを製造するステップと、
ｂ）アッパーおよびソールを接合し、かつ接合したアッパーおよびソールを、気密になるように閉鎖可能である可撓性収容要素に挿入するステップと、
ｃ）収容要素が、接合したアッパーおよびソールを収容要素内で押し付けるように、収容要素を気密閉鎖しかつ収容要素を真空排気するステップと、
ｄ）収容要素内のアッパーおよびソールを互いに連結するステップと、
ｅ）収容要素を通気し、かつ連結したアッパーおよびソールを取り出すステップと、を含むことを特徴とする。
【０００５】
収容要素は好ましくは、弾性材料のバッグであり、具体的に、好ましくはポリエチレン製のプラスチックバッグとすることができる。
【０００６】
収容要素は、収容要素を開放しかつ閉鎖するための閉鎖要素を備えることができる。この閉鎖要素は気密性ジッパーとすることができる。
【０００７】
ソールは数個の部分から成り得、該部分は、上記のステップｂ）を行う前に互いに連結される。ここで、部分間に接着剤を施すことができる。
【０００８】
上記のステップｃ）による真空排気は、収容要素を真空排気ポンプと連結することによって行われ得る。収容要素と真空排気ポンプとの連結は、収容要素に設けられる弁要素または管受口を介して行われ得る。
【０００９】
上記のステップｄ）によるアッパーとソールとの連結は、好ましくは、アッパーとソールとの間の接触帯にマイクロ波放射を加えることによって行われる。マイクロ波放射を加えることは、ひいては、１５〜６０秒、具体的には、２０〜４０秒で行われるのが好ましい。
【００１０】
上記のステップｄ）によるアッパーとソールとの間の連結は、アッパーとソールとの間の接触帯においてアッパーおよび／またはソールの材料を溶解させること、および溶解した材料をアッパーおよび／またはソールの隣接した材料と融合させることによって、行われ得る。そのように、溶接プロセスは行われる。
【００１１】
代替的にはまたはさらに、アッパーおよびソールの接合前に、アッパーとソールとの間に接着剤を施すことを考慮に入れることができる。接着剤はひいては、上記のステップｄ）の間に少なくとも部分的に溶解されるホットメルト接着剤とすることができる。
【００１２】
上記のステップｄ）とステップｅ）との間に、連結したアッパーおよびソールを、好ましくは、３０〜１２０秒冷却させることができる。冷却は、ある特定の時間の周囲条件でこの収容体を靴に設置することによって行われ得る。
【００１３】
最終的に、靴を適当に成形するために、少なくとも上記のステップｂ）〜ｅ）の間に靴型がアッパー内に配置されるようにすることは有益である。
【００１４】
すなわち、真空バッグは、アッパーおよびソールを互いに押し付けることで、これら部分が互いに密接し、次いで対応する連結プロセスによって連結可能にするために使用される。
【００１５】
種々のソール部分（ミッドソール、アウターソールなど）は、ソールがアッパーと接合され、かつ両方の要素が述べたバッグに入れられる前に、（例えば、接着剤によって）互いに事前に連結可能である。
【００１６】
有益には、述べたプロセスを使用することによって、構成要素をバッグに入れる前のこれら構成要素の大規模な洗浄プロセスは余分になる。また、連結される構成要素の粗化プロセスは通常必要ではない。
【００１７】
アッパーとソールとの連結がマイクロ波放射によって行われる場合、連結されなければならない表面に接着剤を付けることは有益であり得る。このことは、有益には、連結されなければならない２つの材料が同じ材料から作られる場合、余分になる。この限りにおいて、好ましくは、熱可塑性ポリウレタン（ＴＰＵ）が使用される。
【００１８】
提案された解決策の具体的に得られる利点は、アッパーとソールとの連結のためにマイクロ波放射で真空排気された収容要素（バッグ）の組み合わせが、低い工具費用および製造費での構成要素間の迅速かつ安定した連結をもたらすことである。
【００１９】
アッパーおよびソールが（例えば、マイクロ波放射によって連結される前に）互いの間を適当に調整されたままにすることを徹底するために、述べた部分を一時的に連結するためにクリップまたはテープを使用することは役立ち得る。この連結を行うための別の可能性は、構成要素を一緒に保持し、かつ収容要素への挿入も行われる凹状保持部分（例えば、深絞り部分）の使用である。
【００２０】
収容要素の真空排気時に、部分（アッパーおよびソール）は収容要素における真空により押し付けられる。（例えば、マイクロ波放射による）その後の連結プロセスによって、構成要素は互いにしっかりと連結される。
【００２１】
説明した方法の使用は、工具費用が非常に低い、すなわち、必要とされる工具が基本的に、真空収容体および真空ポンプに限られるという大きな利点を有する。
【００２２】
さらに、プロセスの取り扱いは、非常に容易であり、それほど教育を受けていない要員でも行うことができる。
【００２３】
アッパーとソールとの間の該当する領域全てにおいて等しい接触圧が得られる。
【００２４】
また、ソールにアンダーカットがあるソール（例えば、ヒールキャップが取り付けられたサッカー用ソール）は、アッパーと容易に押し付けられ得る。
【００２５】
図面において、本発明の実施形態が示される。
【図面の簡単な説明】
【００２６】
【図１】まだ分離されているアッパーおよびソール、ならびに弾性バッグを示す図である。
【図２】接合されたアッパーおよびソールがバッグに挿入されることを示す図である。
【図３】アッパーおよびソールの連結プロセスの間に真空排気されるバッグを示す図である。
【発明を実施するための形態】
【００２７】
図１において、この図の左部分にアッパー２およびソール３が示されており、ここで、２つの構成要素２、３はまだ互いから分離している。構成要素２、３は両方共、各プロセスによって別々に製造され、後述されるように、連結プロセスの始めにくっつけられる。
【００２８】
アッパー２の所望の形状を維持するために、靴型１０はアッパー２に挿入される。
【００２９】
また、ソール３は目下第１の部分６および第２の部分７から成る。より具体的には、第１の部分６はソールの基体であり、第２の部分７は部分６内の対応する凹部に設置される挿入物である。このことは図１に概略的にのみ示されている。当然ながら、ソール３全体を形成するためにソールの基部と共に種々の成形部分または挿入物を使用することが可能である。ソールの一部分は例えば、ゴム材料から成り得、例えば、ホットメルトフィルムの使用による、またはセメント被膜による、ホットメルト粉体被膜プロセスによって、ソールの基部と連結可能である。該部分は発泡または非発泡のものとすることができる。
【００３０】
具体的には、ミッドソール要素はいくつかの（後にアウターソールを形成する）ゴム要素と組み合わせ可能である。配置構成全体は、アッパーとのその後の連結プロセスの間にその部分を共に保持する（深絞り）把持具に設置可能である。
【００３１】
ソールを形成する種々の部分に関して、発泡ＴＰＵ、ＥＶＡ、ポリウレタン、または他の材料から作られるプリモールド部分を考慮に入れることができる。ソール要素に設置され、かつ適した連結方法によってソール要素と連結される（特に発泡ＴＰＵから作られる）遊離ビーズも考慮可能である。ここで、述べた把持具は具体的に適している。
【００３２】
アッパー２およびソール３を、図１の矢印によって指示されるように接触させる。
【００３３】
さらにまた、（まだ緩く）組み合わせられたまたは接合された部分２、３は、ポリエチレン（この材料はマイクロ波放射に影響されない）から成る、この場合はプラスチックバッグである収容要素４に入れられる（図１の大きな矢印を参照）。
【００３４】
収容要素４は、構成要素２、３が要素４に入れられた後、収容要素４を気密閉鎖するために１つの開放端に閉鎖要素５を有する。これが行われた後、閉鎖要素５は閉鎖されるため、構成要素２、３は収容要素４内に気密収容される。
【００３５】
この状況は図２に示されている。ここで、アッパー２およびソール３は、互いに幾何学的に調整され、かつここでは閉鎖要素５によって閉鎖される収容要素４に入れられる。アッパー２は靴型１０によって支持される。
【００３６】
ここで、真空排気プロセスは図３に示されるように行われる。収容要素４は、（図示されない）真空ポンプとの流体接続に適している弁要素または管受口９を有する。図３には、ここで、弾性材料から成る収容要素４は収容要素４内の真空によりアッパー２およびソール３を押し付けることが指示されている。
【００３７】
ここで、図３の数個の矢印によって指示されるマイクロ波放射は、アッパー２とソール３との間の接触領域に加えられて、両方の構成要素をしっかりと連結する。それによって、アッパー２とソール３との間の接触帯における材料は、構成要素間に深い連結が生じるように溶解可能である。
【００３８】
そのように、完成した靴１がもたらされる。ある特定の時間冷却した後、閉鎖要素５は開放され、それによって、収容要素４の内部を通気することができる。その後、靴１を収容要素４から取り出すことができる。
【００３９】
バッグ（収容要素）４は再利用可能であるため、具体的には、製造プロセスの費用を低くすることができる。
【符号の説明】
【００４０】
１  靴
２  アッパー
３  ソール
４  収容要素
５  閉鎖要素
６  ソールの部分
７  ソールの部分
８  弁要素／管受口
９  マイクロ波放射
１０  靴型
【図１】
2021510125.tif 000003
【図２】
2021510125.tif 000004
【図３】
2021510125.tif 000005
【手続補正書】
【提出日】令和1年11月19日(2019.11.19)
【手続補正１】
【補正対象書類名】明細書
【補正対象項目名】全文
【補正方法】変更
【補正の内容】
【発明の詳細な説明】
【技術分野】
【０００１】
本発明は、靴、特に運動靴を製造するための方法に関する。
【背景技術】
【０００２】
通常、靴具の製造には、かなりの投資費用を投じる必要があり、これによって、靴の製造が対応して高費用になる。１側部のアッパーおよび他側部のソールは、連結プロセスが行われる前に互いに密着させなければならない。これは、アッパーとソールとの間の適当な幾何学的調整の上で行われなければならず、これによって工具システムに対して対応する費用が生じる。
【０００３】
特許文献１は、アッパーおよびソールが配置される膜の使用を開示している。さらにまた、膜の内部は、アッパーおよびソールを連結するために真空排気される。同様の方法は特許文献２から既知である。
【先行技術文献】
【特許文献】
【０００４】
【特許文献１】国際公開第９９／２４４９８号パンフレット
【特許文献２】米国特許出願公開第２０１７／０１２９２００号
【発明の概要】
【発明が解決しようとする課題】
【０００５】
本発明の目的は、具体的には工具費の大幅な低減を可能にする、靴を製造するための方法を提供することである。これにもかかわらず、アッパーとソールとの間の良好な連結を目標とする。
【課題を解決するための手段】
【０００６】
本発明によるこの目的の解決策は、方法が、
ａ）アッパーおよびソールを製造するステップと、
ｂ）アッパーおよびソールを接合し、かつ接合したアッパーおよびソールを、気密になるように閉鎖可能である可撓性収容要素に挿入するステップであって、靴型はアッパー内に配置され、アッパーおよびソールは、互いの間を適当に調整するための凹状保持部分に設置され、この保持部分はまた、可撓性収容要素に挿入される、ステップと、
ｃ）収容要素が、接合したアッパーおよびソールを収容要素内で押し付けるように、収容要素を気密閉鎖しかつ収容要素を真空排気するステップと、
ｄ）収容要素内のアッパーおよびソールを互いに連結するステップと、
ｅ）収容要素を通気し、かつ連結したアッパーおよびソールを取り出すステップと、を含むことを特徴とする。
【０００７】
収容要素は好ましくは、弾性材料のバッグであり、具体的に、好ましくはポリエチレン製のプラスチックバッグとすることができる。
【０００８】
収容要素は、収容要素を開放しかつ閉鎖するための閉鎖要素を備えることができる。この閉鎖要素は気密性ジッパーとすることができる。
【０００９】
ソールは数個の部分から成り得、該部分は、上記のステップｂ）を行う前に互いに連結される。ここで、部分間に接着剤を施すことができる。
【００１０】
上記のステップｃ）による真空排気は、収容要素を真空排気ポンプと連結することによって行われ得る。収容要素と真空排気ポンプとの連結は、収容要素に設けられる弁要素または管受口を介して行われ得る。
【００１１】
上記のステップｄ）によるアッパーとソールとの連結は、好ましくは、アッパーとソールとの間の接触帯にマイクロ波放射を加えることによって行われる。マイクロ波放射を加えることは、ひいては、１５〜６０秒、具体的には、２０〜４０秒で行われるのが好ましい。
【００１２】
上記のステップｄ）によるアッパーとソールとの間の連結は、アッパーとソールとの間の接触帯においてアッパーおよび／またはソールの材料を溶解させること、および溶解した材料をアッパーおよび／またはソールの隣接した材料と融合させることによって、行われ得る。そのように、溶接プロセスは行われる。
【００１３】
代替的にはまたはさらに、アッパーおよびソールの接合前に、アッパーとソールとの間に接着剤を施すことを考慮に入れることができる。接着剤はひいては、上記のステップｄ）の間に少なくとも部分的に溶解されるホットメルト接着剤とすることができる。
【００１４】
上記のステップｄ）とステップｅ）との間に、連結したアッパーおよびソールを、好ましくは、３０〜１２０秒冷却させることができる。冷却は、ある特定の時間の周囲条件でこの収容体を靴に設置することによって行われ得る。
【００１５】
最終的に、靴を適当に成形するために、少なくとも上記のステップｂ）〜ｅ）の間に靴型がアッパー内に配置されるようにすることは有益である。
【００１６】
すなわち、真空バッグは、アッパーおよびソールを互いに押し付けることで、これら部分が互いに密接し、次いで対応する連結プロセスによって連結可能にするために使用される。
【００１７】
種々のソール部分（ミッドソール、アウターソールなど）は、ソールがアッパーと接合され、かつ両方の要素が述べたバッグに入れられる前に、（例えば、接着剤によって）互いに事前に連結可能である。
【００１８】
有益には、述べたプロセスを使用することによって、構成要素をバッグに入れる前のこれら構成要素の大規模な洗浄プロセスは余分になる。また、連結される構成要素の粗化プロセスは通常必要ではない。
【００１９】
アッパーとソールとの連結がマイクロ波放射によって行われる場合、連結されなければならない表面に接着剤を付けることは有益であり得る。このことは、有益には、連結されなければならない２つの材料が同じ材料から作られる場合、余分になる。この限りにおいて、好ましくは、熱可塑性ポリウレタン（ＴＰＵ）が使用される。
【００２０】
提案された解決策の具体的に得られる利点は、アッパーとソールとの連結のためにマイクロ波放射で真空排気された収容要素（バッグ）の組み合わせが、低い工具費用および製造費での構成要素間の迅速かつ安定した連結をもたらすことである。
【００２１】
アッパーおよびソールが（例えば、マイクロ波放射によって連結される前に）互いの間を適当に調整されたままにすることを徹底するために、述べた部分を一時的に連結するためにクリップまたはテープを使用することは役立ち得る。この連結を行うための別の可能性は、構成要素を一緒に保持し、かつ収容要素への挿入も行われる凹状保持部分（例えば、深絞り部分）の使用である。
【００２２】
収容要素の真空排気時に、部分（アッパーおよびソール）は収容要素における真空により押し付けられる。（例えば、マイクロ波放射による）その後の連結プロセスによって、構成要素は互いにしっかりと連結される。
【００２３】
説明した方法の使用は、工具費用が非常に低い、すなわち、必要とされる工具が基本的に、真空収容体および真空ポンプに限られるという大きな利点を有する。
【００２４】
さらに、プロセスの取り扱いは、非常に容易であり、それほど教育を受けていない要員でも行うことができる。
【００２５】
アッパーとソールとの間の該当する領域全てにおいて等しい接触圧が得られる。
【００２６】
また、ソールにアンダーカットがあるソール（例えば、ヒールキャップが取り付けられたサッカー用ソール）は、アッパーと容易に押し付けられ得る。
【００２７】
図面において、本発明の実施形態が示される。
【図面の簡単な説明】
【００２８】
【図１】まだ分離されているアッパーおよびソール、ならびに弾性バッグを示す図である。
【図２】接合されたアッパーおよびソールがバッグに挿入されることを示す図である。
【図３】アッパーおよびソールの連結プロセスの間に真空排気されるバッグを示す図である。
【発明を実施するための形態】
【００２９】
図１において、この図の左部分にアッパー２およびソール３が示されており、ここで、２つの構成要素２、３はまだ互いから分離している。構成要素２、３は両方共、各プロセスによって別々に製造され、後述されるように、連結プロセスの始めにくっつけられる。
【００３０】
アッパー２の所望の形状を維持するために、靴型１０はアッパー２に挿入される。
【００３１】
また、ソール３は目下第１の部分６および第２の部分７から成る。より具体的には、第１の部分６はソールの基体であり、第２の部分７は部分６内の対応する凹部に設置される挿入物である。このことは図１に概略的にのみ示されている。当然ながら、ソール３全体を形成するためにソールの基部と共に種々の成形部分または挿入物を使用することが可能である。ソールの一部分は例えば、ゴム材料から成り得、例えば、ホットメルトフィルムの使用による、またはセメント被膜による、ホットメルト粉体被膜プロセスによって、ソールの基部と連結可能である。該部分は発泡または非発泡のものとすることができる。
【００３２】
具体的には、ミッドソール要素はいくつかの（後にアウターソールを形成する）ゴム要素と組み合わせ可能である。配置構成全体は、アッパーとのその後の連結プロセスの間にその部分を共に保持する（深絞り）把持具に設置可能である。
【００３３】
ソールを形成する種々の部分に関して、発泡ＴＰＵ、ＥＶＡ、ポリウレタン、または他の材料から作られるプリモールド部分を考慮に入れることができる。ソール要素に設置され、かつ適した連結方法によってソール要素と連結される（特に発泡ＴＰＵから作られる）遊離ビーズも考慮可能である。ここで、述べた把持具は具体的に適している。
【００３４】
アッパー２およびソール３を、図１の矢印によって指示されるように接触させる。
【００３５】
さらにまた、（まだ緩く）組み合わせられたまたは接合された部分２、３は、ポリエチレン（この材料はマイクロ波放射に影響されない）から成る、この場合はプラスチックバッグである収容要素４に入れられる（図１の大きな矢印を参照）。
【００３６】
収容要素４は、構成要素２、３が要素４に入れられた後、収容要素４を気密閉鎖するために１つの開放端に閉鎖要素５を有する。これが行われた後、閉鎖要素５は閉鎖されるため、構成要素２、３は収容要素４内に気密収容される。
【００３７】
この状況は図２に示されている。ここで、アッパー２およびソール３は、互いに幾何学的に調整され、かつここでは閉鎖要素５によって閉鎖される収容要素４に入れられる。アッパー２は靴型１０によって支持される。
【００３８】
ここで、真空排気プロセスは図３に示されるように行われる。収容要素４は、（図示されない）真空ポンプとの流体接続に適している弁要素または管受口９を有する。図３には、ここで、弾性材料から成る収容要素４は収容要素４内の真空によりアッパー２およびソール３を押し付けることが指示されている。
【００３９】
ここで、図３の数個の矢印によって指示されるマイクロ波放射は、アッパー２とソール３との間の接触領域に加えられて、両方の構成要素をしっかりと連結する。それによって、アッパー２とソール３との間の接触帯における材料は、構成要素間に深い連結が生じるように溶解可能である。
【００４０】
そのように、完成した靴１がもたらされる。ある特定の時間冷却した後、閉鎖要素５は開放され、それによって、収容要素４の内部を通気することができる。その後、靴１を収容要素４から取り出すことができる。
【００４１】
バッグ（収容要素）４は再利用可能であるため、具体的には、製造プロセスの費用を低くすることができる。
【符号の説明】
【００４２】
１  靴
２  アッパー
３  ソール
４  収容要素
５  閉鎖要素
６  ソールの部分
７  ソールの部分
８  弁要素／管受口
９  マイクロ波放射
１０  靴型
【手続補正２】
【補正対象書類名】特許請求の範囲
【補正対象項目名】全文
【補正方法】変更
【補正の内容】
【特許請求の範囲】
【請求項１】
靴（１）、特に運動靴を製造するための方法であって、
ａ）アッパー（２）およびソール（３）を製造するステップと、
ｂ）前記アッパー（２）および前記ソール（３）を接合し、かつ接合した前記アッパー（２）および前記ソール（３）を、気密になるように閉鎖可能である可撓性収容要素（４）に挿入するステップであって、靴型（１０）は前記アッパー（２）内に配置され、前記アッパー（２）および前記ソール（３）は、前記アッパー（２）と前記ソール（３）と間を適当に調整するための凹状保持部分に設置され、この保持部分はまた、前記可撓性収容要素（４）に挿入される、ステップと、
ｃ）前記収容要素（４）が、前記接合したアッパー（２）およびソール（３）を前記収容要素（４）内で押し付けるように、前記収容要素（４）を気密閉鎖しかつ前記収容要素（４）を真空排気するステップと、
ｄ）前記収容要素（４）内の前記アッパー（２）および前記ソール（３）を互いに連結するステップと、
ｅ）前記収容要素（４）を通気し、かつ前記収容要素（４）の連結した前記アッパー（２）および前記ソール（３）を取り出すステップと、を含む、方法。
【請求項２】
前記収容要素（４）は弾性材料のバッグであることを特徴とする、請求項１に記載の方法。
【請求項３】
前記収容要素（４）は好ましくはポリエチレン製のプラスチックバッグであることを特徴とする、請求項１または２に記載の方法。
【請求項４】
前記収容要素（４）は、前記収容要素（４）を開放しかつ閉鎖するための閉鎖要素（５）を備えることを特徴とする、請求項１から３のいずれか一項に記載の方法。
【請求項５】
前記閉鎖要素（５）は気密性ジッパーであることを特徴とする、請求項４に記載の方法。
【請求項６】
前記ソール（３）は数個の部分（６、７）から成り、前記部分（６、７）は、請求項１に記載のステップｂ）を行う前に互いに連結されることを特徴とする、請求項１から５のいずれか一項に記載の方法。
【請求項７】
前記部分（６、７）間に接着剤が施されることを特徴とする、請求項６に記載の方法。
【請求項８】
請求項１に記載のステップｃ）による真空排気は、前記収容要素（４）を真空排気ポンプと連結することによって行われることを特徴とする、請求項１から７のいずれか一項に記載の方法。
【請求項９】
前記収容要素（４）と前記真空排気ポンプとの連結は、前記収容要素（４）に設けられる弁要素または管受口（８）を介して行われることを特徴とする、請求項８に記載の方法。
【請求項１０】
請求項１に記載のステップｄ）による前記アッパー（２）と前記ソール（３）との連結は、前記アッパー（２）と前記ソール（３）との間の接触帯にマイクロ波放射（９）を加えることによって行われることを特徴とする、請求項１から９のいずれか一項に記載の方法。
【請求項１１】
前記マイクロ波放射を加えることは、１５〜６０秒、好ましくは、２０〜４０秒で行われることを特徴とする、請求項１０に記載の方法。
【請求項１２】
請求項１に記載のステップｄ）による前記アッパー（２）と前記ソール（３）との前記連結は、前記アッパー（２）と前記ソール（３）との間の前記接触帯において前記アッパー（２）および／または前記ソール（３）の材料を溶解させること、および溶解した前記材料を前記アッパー（２）および／または前記ソール（３）の隣接した材料と融合させることによって行われることを特徴とする、請求項１から１１のいずれか一項に記載の方法。
【請求項１３】
前記アッパー（２）および前記ソール（３）の接合前に、前記アッパー（２）と前記ソール（３）との間に接着剤が施されることを特徴とする、請求項１から１１のいずれか一項に記載の方法。
【請求項１４】
前記接着剤は、請求項１に記載のステップｄ）の間に少なくとも部分的に溶解されるホットメルト接着剤であることを特徴とする、請求項１３に記載の方法。
【請求項１５】
請求項１に記載のステップｄ）とステップｅ）との間に、連結した前記アッパー（２）および前記ソール（３）を、好ましくは、３０〜１２０秒冷却させることを特徴とする、請求項１から１４のいずれか一項に記載の方法。
【国際調査報告】
2021510125.tif 000006
2021510125.tif 000007
2021510125.tif 000008